(57)【要約】      （修正有）【課題】地球儀を便利に承置する功能以外に、地球儀の拡大閲覧の補助機能を有し、製品の実用性と付加価値を向上する地球儀台座を提供する。【解決手段】地球儀台座１０上方に設置され、地球儀５０を承置する承接部２０と、地球儀台座の下方に設置され、平面上への放置が容易な座体部４０と、地球儀台座内の適当な位置に設置され、透視性と拡大機能を有する拡大部３０と、からなる。これにより、地球儀台座は、地球儀を承置する功能以外に、図案、文字を拡大する地球儀の拡大閲覧の補助機能を有し、地球儀の閲覧が便利で、その他の拡大ツールを必要としないという特徴があり、製品の実用性と付加価値を向上することが可能である。【選択図】図２
0003113031.tif 000002
【実用新案登録請求の範囲】
【請求項１】
地球儀台座であって、
前記地球儀台座上方に設置され、地球儀を承置する承接部と、
前記地球儀台座の下方に設置され、平面上への放置が容易な座体部と、
前記地球儀台座内の適当な位置に設置され、透視性と拡大機能を有する拡大部と、からなることを特徴とする地球儀台座。
【請求項２】
前記承接部は、凹部を設けていることを特徴とする請求項１に記載の地球儀台座。
【請求項３】
前記凹部の周縁は、斜面端、或いは、曲面端を設けていることを特徴とする請求項２に記載の地球儀台座。
【請求項４】
前記拡大部は、少なくとも一つの弧凸面を設けていることを特徴とする請求項１に記載の地球儀台座。
【請求項５】
前記座体部は、承接凹部を設けていることを特徴とする請求項１に記載の地球儀台座。
【請求項６】
前記承接凹部の周縁は、斜面端、或いは、曲面端を設けていることを特徴とする請求項５に記載の地球儀台座。
【請求項７】
前記拡大部は、前記承接部内の適当な部位にあることを特徴とする請求項１に記載の地球儀台座。
【請求項８】
前記拡大部は、前記承接部と一体成形されることを特徴とする請求項７に記載の地球儀台座。
【請求項９】
前記承接部は、前記座体部と一体成形されることを特徴とする請求項１に記載の地球儀台座。
【請求項１０】
前記承接部、前記拡大部、及び、前記座体部は、一体成形されることを特徴とする請求項１に記載の地球儀台座。
【請求項１１】
前記拡大部は、透明材質であることを特徴とする請求項１に記載の地球儀台座。
【請求項１２】
前記承接部、前記拡大部、及び、前記座体部は、透明材質からなることを特徴とする請求項１１に記載の地球儀台座。
【考案の詳細な説明】
【技術分野】
【０００１】
本考案は、地球儀台座に関するものであって、特に、地球儀を便利に承置し、拡大の補助機能を有し、簡単に、地球儀が見られるような地球儀台座に関するものである。
【背景技術】
【０００２】
現代社会において、国際交流の発展とグローバル化により、地球儀は、常用の器具となっており、地理学習、国家位置サーチ、又は、インテリアとしてなど、多くの功能性と意義性を有する。公知の地球儀は、図１で示されるように、地球儀９０は、曲棒９１が、地球儀台座９２に枢設されて、地球儀を承置し、便利に見ることが出来るようになっている。しかし、世界地図を地球儀上に縮小してあるので、その図案と文字は、大変小さく、視力が悪い人やお年寄りにとっては、閲読に支障をきたす。よって、上述のような地球儀の図案、文字の小ささによる閲読上の不便さを改善することが、本考案の重要な課題である。
【考案の開示】
【考案が解決しようとする課題】
【０００３】
本考案は、地球儀を便利に承置する功能以外に、地球儀の拡大閲覧の補助機能を有し、製品の実用性と付加価値を向上する地球儀台座を提供することを目的とする。
【０００４】
本考案は、図案、文字の閲読上、拡大機能を有し、地球儀の閲覧が便利で、その他の拡大ツールを必要としない地球儀台座を提供することを目的とする。
【課題を解決するための手段】
【０００５】
本考案の地球儀台座は、地球儀台座上方に設置され、地球儀を承置する承接部と、地球儀台座の下方に設置され、平面上への放置が容易な座体部と、地球儀台座内の適当な位置に設置され、透視性と拡大機能を有する拡大部と、からなる。
【考案の効果】
【０００６】
本考案により、地球儀を便利に承置する功能以外に、図案、文字を拡大する地球儀の拡大閲覧の補助機能を有し、地球儀の閲覧が便利で、その他の拡大ツールを必要としないという特徴があり、製品の実用性と付加価値を向上することが可能である。
【考案を実施するための最良の形態】
【０００７】
図２、及び、図３を参照すると、本考案の地球儀台座１０は、承接部２０、拡大部３０、及び、座体４０、からなる。承接部２０は、地球儀台座１０上方に設置され、地球儀５０を承置する。承接部２０上方に、凹部２２を有し、凹部２２の周縁は、斜面端（或いは、曲面端）２４を有する。拡大部３０は、承接部２０内に設置され、透視性があり、第一面３２、及び、第二面３４を有する。第一面３２と第二面３４は、弧凸面（図１と図４を参照する）、或いは、実施時に、第一面３２と第二面３４は、少なくとも一面が、弧凸面で、拡大部３０に拡大の機能を具備させる。座体部４０は、地球儀台座１０の下方に設置され、承接凹部４２を有し、承接凹部４２の周縁は、斜面端（或いは、曲面端）４４を設ける。
【０００８】
拡大部３０は、承接部２０内の適当な位置に一体成形されても、その他の方式で、承接部２０内に固設されてもよい。承接部２０は、座体部４０と一体成形されるか、或いは、その他の方式で、座体部４０と固結される。好ましい実施例において、承接部２０、拡大部３０、及び、座体部４０は、一体成形である。もちろん、拡大部３０は、構造設計により、座体部４０内に設置されてもよい。つまり、拡大部３０は、地球儀１０内部の適当な位置に設置される。更に、拡大部３０は、透明材質で、好ましい実施例では、承接部２０、拡大部３０、及び、座体部４０は、透明材質の一体成形である。
【０００９】
使用時、承接部２０の凹部２２により、地球儀５０を承受し、座体部４０は、平面上に放置されて、地球儀５０の安置が完成する。
【００１０】
図５を参照すると、地球儀５０を閲覧したい時、地球儀台座１０を翻転させると共に、座体部４０の承接凹部４２を、地球儀台座１０の閲読部位に被せ、使用者は、視線を、凹部２２、拡大部３０、承接凹部４２にくぐらせて、地球儀５０上の図案、文字を閲読し、拡大部３０は、拡大作用を有するので、地球儀５０上の図案、文字を拡大し、地球儀５０の閲読が便利になる。また、承接凹部４２は、周縁の斜面端（或いは、曲面端）４４を有するので、地球儀台座１０の閲読シフトが、更に、便利である。よって、使用者は、手で、地球儀５０を支承し、もう一つの手で、地球儀台座１０の承接部２０を握固すれば、地球儀５０の拡大閲読と、シフト閲覧が可能である。
【００１１】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案明の保護範囲は、実用新案請求の範囲で指定した内容を基準とする。
【図面の簡単な説明】
【００１２】
【図１】公知の地球儀構造図である。
【図２】本考案の地球儀の設置を示した説明図である。
【図３】本考案の立体図である。
【図４】本考案の断面図である。
【図５】本考案の拡大功能を示した説明図である。
【符号の説明】
【００１３】
９０…地球儀    
９１…曲棒
９２…地球儀台座
１０…地球儀台座
２０…承接部    
３０…拡大部
４０…座体部
５０…地球儀
２２…凹部
２４…斜面端（或いは、曲面端）
３２…第一面
３４…第二面
４２…承接凹部
４４…斜面端（或いは、曲面端）    
【図１】
0003113031.tif 000003
【図２】
0003113031.tif 000004
【図３】
0003113031.tif 000005
【図４】
0003113031.tif 000006
【図５】
0003113031.tif 000007